(57)【要約】【課題】装置全体の重量を増大させることなく、電柱支線の高所にまで絡みついた蔓性植物を地上からの作業により容易、且つ安全に除去することができる蔓性植物の除去装置を提供する。【解決手段】除去装置本体２と、除去装置本体を支持する絶縁棒５０と、を備え、除去装置本体は、ベース部３と、ベース部の下面から突出し、嵌合部１０と連通する中空部３０Ａを有し、且つ開放部と連通する開口部３５を有するスリーブ部３０と、を備え、スリーブ部の少なくとも一部が保護対象物の外面に密着して摺接可能な構成を有している。【選択図】図２
2016019296.tif 000002
【特許請求の範囲】
【請求項１】
上下方向へ伸びる保護対象物に巻き付いた蔓性植物をその最上部から押し下げて除去する蔓性植物の除去装置であって、
非金属製材料から成る除去装置本体と、該除去装置本体を支持する絶縁棒と、を備え、
前記除去装置本体は、
外周面に設けられた開放部、及び、該開放部の内部に位置して前記保護対象物を嵌合させた状態で該保護対象物に沿って摺動する嵌合部を備えたベース部と、
前記ベース部の下面から突出し、前記嵌合部と連通する中空部を有し、且つ前記開放部と連通する開口部を有するスリーブ部と、
を備え、
前記スリーブ部の少なくとも一部が前記保護対象物の外面と摺接可能な構成を有していることを特徴とする蔓性植物の除去装置。
【請求項２】
前記ベース部の開放部、又は／及び、前記スリーブ部の開口部は、弾性的に開放角度を変化させることを特徴とする請求項１に記載の蔓性植物の除去装置。
【請求項３】
前記ベース部には、前記開放部内に前記保護対象物を導くと共に、蔓性植物を押さえ込むガイド部材が設けられていることを特徴とする請求項１又は２に記載の蔓性植物の除去装置。
【請求項４】
前記ベース部の他の部位には、前記ガイド部材と協働して蔓性植物を押さえ込む押し下げ部材が設けられていることを特徴とする請求項３に記載の蔓性植物の除去装置。
【請求項５】
前記スリーブ部の下端周縁には、前記保護対象物と摺接するパッドが着脱自在に設けられていることを特徴とする請求項１乃至４の何れか一項に記載の蔓性植物の除去装置。
【請求項６】
前記ベース部には、前記絶縁棒を回動自在に支持する取付け部が設けられていることを特徴とする請求項１乃至５の何れか一項に記載の蔓性植物の除去装置。
【発明の詳細な説明】
【技術分野】
【０００１】
本発明は電柱を支持する支線等に巻き上がった葛等の蔓性植物を、高所における残留物なく除去することが可能な蔓性植物の除去装置に関する。
【背景技術】
【０００２】
電柱を支持するために電柱の上部適所から地盤に向けて斜め下向きに設置される金属製の支線には、葛等の蔓性植物が巻き上がって絡みつき易い。蔓性植物は、短絡、地絡の原因となることがあり、電力の安定供給を妨げる要因となりやすい。また、支線に絡みついた蔓性植物を放置しておくとこれが保持する雨水等の水分により経時的に支線が腐食し易くなる。
このため、従来から適宜、蔓性植物を除去する作業が行われているが、地上からの作業によって数ｍ〜１０ｍの高所に達する蔓性植物を全長に亘って完全に除去することは容易でなかった。
【０００３】
具体的には、作業員の手の届く低所にある葛の部分を切断して除去した後で、残留部分を掴んで蔓性植物全体を下方へ引き下げて除去しようとすると、支線に対して螺旋状に絡んでいる蔓性植物は収縮して支線に密着しようとするため、無理に引き下げると途中で切断し、最上部からかなりの長さの部分が支線上に残留してしまうことが多い。残留した蔓性植物の部分が保持する水分は支線を腐食させる原因となっている。
蔓性植物が支線に絡みつく力は強く、下方からの作業によって蔓性植物を引き下げて除去するには強い力を要するため、蔓性植物が切れた反動で作業員が転ぶ等して怪我をすることも多々ある。
また、作業員が電柱や支線を登って残留した部分を除去することは、更なる労力の増大と、落下の危険性をもたらす。危険を回避するために高所作業用の安全帯を使用するとすれば、安全帯を携帯、運搬するのに要する労力が増大する。
【０００４】
特許文献１、特許文献２には絶縁棒の先端に鎌、鋸などの金属製刃物を取り付けた治具を用いて電柱支線に絡みついた蔓性植物を切断する手段が提案されている。しかし、地上から数ｍ〜１０ｍの高所に絶縁棒を延ばしてピンポイントで蔓性植物の所要部位に刃先を合わせた上で正確に切断することは難しく、また刃物により支線を傷つけることが多々ある。蔓性植物を切断により完全に除去するのに必要とされる切断箇所は通常数箇所から十数箇所となるため、切断による除去手数、労力は多大となり、効率の悪い作業となる。
特に、特許文献１では蔓性植物を切断するためには、地上から長尺の操作棒を操作して先端の鋸刃を往復動作させる必要があり、切断作業が更に困難となる。また、刃物は作業員を傷つける原因にもなる。
【０００５】
また、金属製の刃物はその支持部材を含めて重量が大きくなり、切断作業に際して強い力を要するために、長尺な絶縁棒として充分な強度を有した材料を用いる必要があり、全体的な重量が増大せざるを得なくなる。このため、更に作業性が悪化する。この不具合を解消するためには使用する絶縁棒を短尺とせざるを得なくなり、高所にある蔓性植物を除去することが難しくなる。
【０００６】
特許文献３では、蔓性植物が巻き上がるのを防止する抑制具を予め電柱支線のほぼ全長に亘って装着しておき、蔓性植物が巻き上がった場合には抑制具に設けた開口部を利用して、長尺の絶縁棒の先端に取り付けた切断具によって蔓性植物を切断する手法が開示されている。
しかし、蔓性植物が生育する可能性のあるあらゆる電柱支線に対して予め抑制具を装着しておく必要があるため、作業手数とコストが増大するばかりでなく、刃物を用いているため支線を損傷する虞をなくすることができない。
【０００７】
更に特許文献４（特開２００７−３２５４２０公報）の「回転型蔓性植物巻き上がり防止装置」は、巻き上がり防止装置を、支線の所定位置に対して予め常設しておき、風雨によってケース部を回転させることにより蔓性植物の巻き上がりを防止する構成である。しかし、この防止装置を配置した支線の高さ位置を越えて上方に向けて成長しようとする蔓性植物を阻止するものであり、支線の高所にまで既に巻き上がっている蔓性植物を除去することはできない。また、ケース部を回転させるに充分な風力がない場合には、防止装置を含めた支線に蔓性植物が絡みついてケース部の回転を不可能な状態に陥らせる。
なお、蔓性植物が電気設備に与える不具合は、電柱支線に限るものではなく、電線等の線材、柱状物、棒状物等々にも同様の不具合をもたらす。
【先行技術文献】
【特許文献】
【０００８】
【特許文献１】特開２００５−２７８４０８公報
【特許文献２】特開平０６−００７０６６号公報
【特許文献３】特開２０１１−２２３９５４公報
【特許文献４】特開２００７−３２５４２０公報
【発明の概要】
【発明が解決しようとする課題】
【０００９】
以上のように電柱支線の電気設備に沿って高所まで成長した蔓性植物を地上からの作業によって余すことなく除去することは困難であった。長尺な絶縁棒の先に金属製刃物を取り付けた道具も種々提案されているが、数ｍ〜１０ｍの長さを有した絶縁棒を操作することにより蔓性植物の所要部位を切断して引き下げる作業はピンポイントを狙った困難、且つ疲労を伴う作業となる。また、刃物は支線を損傷させたり、絶縁棒を含めた重量を増大させる原因ともなっている。
本発明は上記に鑑みてなされたものであり、装置全体の重量を増大させることなく、また、切断といった煩雑な作業を行うことなく、電柱支線の高所にまで絡みついた蔓性植物を地上からの作業により容易、且つ安全に余すことなく除去することができる蔓性植物の除去装置を提供することを目的としている。
【課題を解決するための手段】
【００１０】
上記目的を達成するため、本発明に係る蔓性植物の除去装置は、上下方向へ伸びる保護対象物に巻き付いた蔓性植物をその最上部から押し下げて除去する手段であって、非金属製材料から成る除去装置本体と、該除去装置本体を支持する絶縁棒と、を備え、前記除去装置本体は、外周面に設けられた開放部、及び、該開放部の内部に位置して前記保護対象物を嵌合させた状態で該保護対象物に沿って摺動する嵌合部を備えたベース部と、前記ベース部の下面から突出し、前記嵌合部と連通する中空部を有し、且つ前記開放部と連通する開口部を有するスリーブ部と、を備え、前記スリーブ部の少なくとも一部が前記保護対象物の外面と摺接可能な構成を有していることを特徴とする。
【発明の効果】
【００１１】
本発明によれば、装置全体の重量を増大させることなく、また、切断といった煩雑な作業を行うことなく、電柱支線の高所にまで絡みついた蔓性植物を地上からの作業により容易、且つ安全に余すことなく除去することができる蔓性植物の除去装置を提供することができる。
【図面の簡単な説明】
【００１２】
【図１】（ａ）（ｂ）及び（ｃ）は本発明の一実施形態に係る蔓性植物の除去装置を用いた作業手順を示す図である。
【図２】（ａ）（ｂ）及び（ｃ）は除去装置本体の構成を示す上面側斜視図、底面側斜視図、及び開放部側斜視図である。
【図３】（ａ）（ｂ）及び（ｃ）は除去装置の要部を示す正面図、側面図、及び下面図である。
【図４】変形実施例に係る構成を示す縦断面図である。
【発明を実施するための形態】
【００１３】
以下、本発明を図面に示した実施の形態により詳細に説明する。
図１（ａ）（ｂ）及び（ｃ）は本発明の一実施形態に係る蔓性植物の除去装置を用いた作業手順を示す図であり、図２（ａ）（ｂ）及び（ｃ）は除去装置本体の構成を示す上面側斜視図、底面側斜視図、及び開放部側斜視図であり、図３（ａ）（ｂ）及び（ｃ）は除去装置の要部を示す正面図、側面図、及び下面図であり、図４は変形実施例に係る構成を示す縦断面図である。
【００１４】
本発明の蔓性植物の除去装置１は、上下方向へ伸びる長尺な保護対象物（例えば、電柱支線）１００の外周に螺旋状に巻き付いた蔓性植物１１０を、切断によることなく、そのほぼ最上部から押し下げて除去する手段であり、非金属製材料から成る除去装置本体２と、除去装置本体を支持する操作用の絶縁棒５０と、から概略構成されている。
除去装置本体２は、外周面に設けられた開放部４、開放部の内部に位置して保護対象物１００を嵌合させた状態で保護対象物に沿ってその軸方向（長手方向）へ移動自在に支持する嵌合部１０、及び、開放部４の対向する２つのテーパー状の内壁面４ａに形成されて保護対象物１００を嵌合部１０内に導くガイド面５、を備えたベース部３と、ベース部３の下面から突出し、嵌合部と連通する中空部３０Ａを有し、且つ開放部４に対応する外周面に該開放部と連通する開口部３５を有するスリーブ部３０と、を備えている。
【００１５】
また、スリーブ部３０の少なくとも一部が保護対象物の外面に密着し、除去装置本体の移動に伴って保護対象物の外面と摺接可能であることにより、移動時に保護対象物の外面に付着した植物等の異物を剥離して除去可能な構成を有している。
更に、ベース部３には、開口部３５を経由して嵌合部１０内に保護対象物１００をスムーズに導くと共に、蔓性植物１１０を押さえ込むガイド部材４０が設けられる。更に、ベース部３の他の部位には、ガイド部材４０と協働して蔓性植物１１０を押し下げる押し下げ部材４２が設けられている。
【００１６】
本発明に係る蔓性植物は、金属製刃物を用いることなく、強化プラスチックの如く、軽量、且つ充分な強度を有した絶縁性樹脂材料を用いた構成により、地上からの引下げ作業によって、電柱支線等の保護対象物の高所にまで生育した蔓性植物を全て除去することを可能としたものである。
【００１７】
以下、本発明の蔓性植物の除去装置（以下、除去装置、と称する）を更に詳細に説明する。なお、以下においては保護対象物の一例として電柱支線１００を挙げて説明する。
各図に示すように、除去装置１は、操作用の絶縁棒５０の先端部に対して除去装置本体２を取り付けた構成を備えている。除去装置１の操作においては、まず図１（ａ）に示すように地上に位置する作業員が絶縁棒５０を把持して除去装置本体２を蔓性植物１１０の最上部よりも上方に位置する電柱支線部分（蔓性植物の存在しない箇所）に持ち上げ、ベース部３の開放部４内に電柱支線１００の当該部分を導き入れ、最後には嵌合部１０内に嵌合させる。この時、電柱支線１００はスリーブ部３０の開口部３５を介してスリーブ部３０の内部（中空部３０Ａ）にも同時に嵌合する。
【００１８】
ベース部の開放部４（嵌合部１０）及びスリーブ部の開口部３５は弾性的に開閉可能な構成を有しており、これらの内部に嵌合した電柱支線は嵌合部及びスリーブ部からの圧接力により保持され抜け落ちすることがない。このため、この状態で絶縁棒を引き下げることにより図１（ｂ）に示すように除去装置本体２が電柱支線１００に沿って下降を開始し、除去装置本体の下降に伴って蔓性植物１１０はその最上部から順次スリーブ部の下部開口（その他の接触部位）によって電柱支線から離脱させられる。離脱させられた蔓性植物の部位は下方へ押圧されるに連れて弛みを起こして外径方向へ拡開し、電柱支線からの離脱が進行する。更に、除去装置本体２が下降を続けると電柱支線との密着度が低下した蔓性植物部分がガイド部材４０、及び押し下げ部材４２によって押し下げられる。
スリーブ部３０は、充分な強度と弾性を有した樹脂製の板材を円弧状にしたものである。スリーブ部の下部開口内周、或いはスリーブ部の内周面が電柱支線の外周面と密着しながら下降することにより、電線支柱に密着していた蔓性植物が電柱支線から離脱しながら弛緩することにより、作業員の手が届く低所にまで除去装置本体２はスムーズに下降することができる。
【００１９】
図２、図３に基づいて除去装置１について更に詳細に説明する。
除去装置本体２を構成するベース部３は、強化プラスチックから成り、軽量化を図るために内部を中空にしてもよい。本例ではベース部の全体形状が円盤状であるがこれは一例に過ぎず、スリーブ部３０、及び絶縁棒を取り付けるための部位を確保することができ、且つ開放部４と、嵌合部１０等を備えることができれば、どのような形態であってもよい。
【００２０】
本例に係るベース部３は、円盤状（円筒状）の中央部（偏心位置であってもよい）に嵌合部１０を備えると共に、外周面には嵌合部１０と連通するテーパーの切欠きである開放部４を有する。開放部４、及び嵌合部１０はベース部を構成する樹脂材料の性質により弾性変形可能であり、その内部に外径の異なる電柱支線を受け容れることが可能となっている。つまり、電柱支線の直径の大小に柔軟に対応して変形することにより、嵌合部１０は電柱支線の外面に対して適度に接触することができる。
【００２１】
開放部４、及びガイド面５は、電柱支線をガイドしつつ嵌合部１０内にスムーズに導くように開放角度などが構成されている。
なお、開放部４の開放量、及び嵌合部１０の内径を大きく弾性変形しないように構成し、スリーブ部３０のみを弾性変形可能に構成してもよい。
細い棒状のガイド部材４０は、開放部のガイド面５との間に段差を形成しないように、ベース部３の外周面（開放部の周方向両端縁に沿った位置）に少なくとも合計二本突設されている。２本のガイド部材４０は、地上からの操作により高所に位置する電柱支線の特定部位に開放部を入れ込む際のガイドとなる。長尺の絶縁棒を用いた地上からの操作により、開放部４内に電柱支線の特定部位（蔓状植物の最上部よりも上方に位置する部位）を入れ込む際に、開放部４よりも更に開放角度の大きい２つのガイド部材を手掛かりとすることにより、高い位置合わせ精度が不要となる。
なお、ガイド部材４０をベース部に取り付ける手法としては、ガイド部材の端部に設けた雄螺子部を、ベース部の外周面に設けた雌ネジ部（穴）に対して着脱自在に装着できるように構成するのが好ましい。
【００２２】
ガイド部材の形状、本数、配置箇所は、上記条件を満たせば任意である。
弾性変形可能な樹脂製板材から成るスリーブ部３０は、嵌合部１０の内壁から延長形成された内壁３１を有し、且つ開放部４と連通した開口部３５を有しているため、電柱支線が嵌合部１０内に入り込む際にはスムーズにスリーブ内に電柱支線が入り込むことができる。スリーブ部３０の下端周縁３２は弾性的に電柱支線の外周面に密着可能な構成を備えており、除去装置本体２が全体として電柱支線に沿って下降する際には、電柱支線の外周面に密着して摺動しながら、電柱支線外面に密着している蔓性植物を剥離することができる。
なお、スリーブ部３０はその下端周縁３２、その他の部位により蔓性植物を剥離できればよく、その全体形状は下方が先細りしたテーパー状でなくてもよい。
【００２３】
スリーブ部３０は、予めベース部３と一体的に製造してもよいし、後から固定してもよい。スリーブ部３０が損耗した時に、スリーブ部を交換可能となるように、ベース部に対して着脱自在な構成としてもよい。
なお、図４はスリーブ部の下端周縁３２の他の構成例を示した縦断面図であり、この例では下端周縁３２の先端３２ａを内径方向へ屈曲させている。更に、必要に応じて、先端３２ａに沿って摩擦抵抗が低く、耐久性の高い樹脂材料、ゴム材料などから成るパッド３４を装着するようにしてもよい。パッド３４の厚さＴは、電柱支線の直径が大きい場合には厚さＴが小さくものを使用し、電柱支線の直径が小さい場合には厚さＴが大きいものを使用することが好ましい。パッド３４を用いることにより、電柱支線外面との密着性を高めつつ、除去装置が下降する際の抵抗を低減しつつ、蔓性植物を効率的に剥離することが可能となる。つまり、スリーブ部自体の材質としては、電柱支線を支持するのに適切な強度、弾性変形を備えたものを使用する一方で、電柱支線と接触する部位についてはそれに適した材質から成るパッドを用いるのが好ましい。
【００２４】
押し下げ部材４２は、ベース部の外周面などに設けた取付け部（取付け穴）に対して着脱自在に取り付けることが好ましい。具体的には、細棒状の押し下げ部材４２の端部に設けた雄螺子部をベース部の外周面に設けた雌ネジ部（穴）内に螺着する。
ガイド部材４０と押し下げ部材４２は、スリーブ部３０によって電柱支線外周面の蔓性植物を剥離しながら除去装置本体２が下降する過程で、押し広げられた蔓性植物を下面で支持しながら押し下げ続ける手段である。このため、下降経路に電線、その他の障害物が存在する場合には、ガイド部材４０と押し下げ部材４２と干渉する虞がある。この場合には、任意のガイド部材４０と押し下げ部材４２をベース部から除去したり、ベース部上の取付け位置を変更したり、或いは短尺、又は形状の異なるガイド部材４０と押し下げ部材４２を取り付けるようにして対応することができる。
【００２５】
また、ガイド部材４０と押し下げ部材４２は、蔓性植物を確実に保持できるように水平方向よりも、図示したように下向きに傾斜した状態でベース部に取り付けておくことが好ましい。
また、ガイド部材４０と押し下げ部材４２は直線状である必要はない。
【００２６】
絶縁棒５０は、強化プラスチック等の軽量、且つ強度の高い絶縁材料から構成し、釣り竿のように多段状に伸縮自在とするのが好ましい。
絶縁棒５０を着脱自在にベース部３の取付け部２０に取り付ける場合には、ガイド部材の場合と同様に絶縁棒先端に設けた雄螺子部をベース部に設けた雌螺子部に螺着するようにしてもよい。
図３に示した構成例では、ベース部３の側面に設けた自在継ぎ手（ボールジョイント）２５に雄螺子部材２６を固定して雄螺子部材を任意の方向に揺動自在とし、雄螺子部材２６を絶縁棒先端の雌螺子部５０ａ内に差し込んで螺着している。図示しない蝶ネジなどによって自在継ぎ手２５の角度を固定することによってベース部に対する絶縁棒の角度を変化させて固定できるように構成する。
【００２７】
上記構成を採用することにより、ベース部に対する絶縁棒の角度を作業員の立ち位置の変化等に応じて変化させることができ、絶縁棒が電柱支線、その他の障害物と干渉しないように設定することが可能となる。
なお、本発明の除去装置における保護対象物は、電柱支線のみならず、線材、棒材、鋼材、塔等、低所から高所に配置されているために葛等の蔓性植物が巻き付いて生育し易い対象物一般に適用することができる。対象物の形状に応じて除去装置本体の形状（特に、内面形状）を変更する必要があることは勿論である。
【００２８】
［本発明の構成、作用、効果のまとめ］
第１の本発明に係る蔓性植物の除去装置は、上下方向へ伸びる保護対象物１００に巻き付いた蔓性植物１１０をその最上部から押し下げて除去する手段であり、非金属製材料から成る除去装置本体２と、該除去装置本体を支持する絶縁棒５０と、を備える。
除去装置本体２は、外周面に設けられた保護対象部導入用の開放部４、開放部の内部に位置して保護対象物を嵌合させた状態で該保護対象物に沿って摺動する嵌合部（保護対象物保持部）１０を備えたベース部３と、ベース部の下面から突出し、嵌合部と連通する中空部３０Ａを有し、且つ開放部４に対応する外周面に該開放部と連通する開口部３５を有するスリーブ部３０と、を備え、スリーブ部の少なくとも一部が保護対象物の外面と摺接可能な構成を有していることを特徴とする。
本発明の除去装置本体は絶縁性の樹脂から構成し、金属製の刃物を備えていないため、軽量であり、絶縁棒の先端に配置したとしても地上からの操作性が低下することがない。全体として軽量であるため、電柱などに登る必要がなく、地上からの操作で作業を完了させることができる。
【００２９】
また、刃物からなる除去装置のように、刃先を蔓性植物の特定部位にあてがって切断するといった作業を地上からの絶縁棒を用いた操作によって行う必要がない。刃物を用いた場合には、切断箇所に向けて刃先をあてがう等の方向性の要請が強くなるが、本発明では、ベース部の開放部内に保護対象物を入れ込むだけでセットが完了するので、方向性の要請が低く便利である。
また、刃物を用いないため、電柱支線その他の部位を損傷したり、作業員を損傷する虞が皆無となる。
【００３０】
除去装置本体の構造がシンプルであり、充分な強度を有した樹脂材料を使用するので、故障が少ない。また、絶縁棒としても強化プラスチック等を用いれば強度を維持しながら軽量化することができるので、絶縁棒を長尺化することが可能となり、除去装置本体を高所にある蔓性植物の上部位置まで届かせて作業を行うことが可能となる。このため、高所にある蔓性植物を全体として除去することが可能となる。
除去装置本体を保護対象物に沿って下降させる過程で除去作業が進行するため、長尺の棒材を用いた地上からの作業が容易となり、蔓性植物を保護対象物に沿って下降させて最終的に除去できる。
【００３１】
除去装置１は、事故防止の観点から絶縁材料から構成するのが好ましい。
スリーブ部３０は、その一部、本例では下端周縁３２が弾性的に保護対象物の外周面に密着し、且つ除去装置本体の下降に伴って保護対象物の外周面と摺接することができる。このため、下端周縁３２によって保護対象物の外周面に密着した蔓性植物の一部を剥離しながら押し広げることができる。
本例では、スリーブ部の下端周縁３２により蔓性植物を剥離するように構成したが、スリーブ部の内壁に突起を設け、この突起により剥離するようにしてもよい。
【００３２】
保護対象物の外面に絡まった蔓性植物は、下方から引き下げようとすると内側へ収縮することにより保護対象物に余計に密着するが、上方から押さえ込んで下降させると、拡開して保護対象物から離脱し易くなることが実権により確認されている。
高所にある部分を含めた蔓性植物全体を電柱支線から除去できるため、残留した蔓性植物に起因して電柱支線が腐食することがなくなる。
【００３３】
第２の本発明では、ベース部の開放部、又は／及び、スリーブ部の開口部は、弾性的に開放角度を変化させることを特徴とする。
保護対象物には、電柱支線等の線材の他にも、棒材、筒（柱）状体、その他の蔓性植物が絡んだ状態で育成し易いものを含む。そして、ベース部の開放部、又は／及び、スリーブ部の開口部は、弾性的に開閉できるので、保護対象物の外面に密着して圧接することができる。このため、直径の違う保護対象物に対応させて使用することができ、脱落することがない。
【００３４】
第３の本発明では、ベース部には開放部、開口部内に保護対象物を導くと共に、蔓性植物を押さえ込むガイド部材が設けられていることを特徴とする。
ガイド部材は、ベース部の開放部（ガイド面）に対して段差を形成しないようにベース部の外面に配置する。絶縁棒を把持した作業者が地上からの操作によって保護対象物を開放部内に導くための作業を実施する際に、当初、開放部と保護対象物との位置が多少ずれたとしてもガイド部材を保護対象物に接触させることができれば、ガイド部材に沿ってベース部の開放部を保護対象物に向けて移動することができ、その結果として保護対象物を容易に開放部（嵌合部）内に導くことができる。つまり、ガイド部材を用いることにより、保護対象物を開放部に導く作業を大ざっぱに行うことが可能となる。一旦、保護対象物を開放部内に導けば、嵌合部内には極めて容易に嵌着させることができる。
ガイド部材は細い棒材であれば充分であるが、その形状は問わない。板状であってもよい。また、ガイド部材は直線状、平板状である必要もなく、湾曲、屈曲していてもよい。
ガイド部材をベース部に対して着脱可能とすることにより、周辺環境、障害物の有無に対応して作業を実施することが可能となる。
【００３５】
第４の本発明では、ベース部の他の部位には、ガイド部材と協働して蔓性植物を押さえ込む押し下げ部材が設けられていることを特徴とする。
ガイド部材と押し下げ部材をベース部から放射状に突出させることにより、保護対象物から離脱し始めた蔓性植物を逃すことなく押さえ込みつつ下方へ引き下ろすことが可能となる。
押し下げ部材をベース部に対して着脱可能とすることにより、周辺環境、障害物の有無に対応して作業を実施することが可能となる。
【００３６】
第５の本発明は、スリーブ部の下端周縁には、保護対象物と摺接するパッドが着脱自在に設けられていることを特徴とする。
弾性のあるゴム、樹脂等から成るパッドをスリーブの下端周縁に配置することにより、保護対象物との密着性を高めることができる。密着性を高めることにより、蔓性植物が保護対象物との間の隙間から抜け残ることを防止できる。また、パッドを摩擦抵抗の少ない材料から構成することにより、除去装置本体を保護対象物に沿ってスムーズに下降させることが可能となる。保護対象物の直径などが変わる場合には、パッドを交換することができる。
パッドを交換可能に構成することにより、保護対象物の外径、外形の違いに対応させて肉厚の異なるものを使い分けたり、パッドが損耗した時に交換することが可能となる。
【００３７】
第６の発明は、ベース部には、絶縁棒を回動自在に支持する取付け部が設けられていることを特徴とする。
例えば、ユニバーサルジョイント、その他の可動式ジョイントを用いて絶縁棒をベース部に対して回動自在に取り付けることにより、保護対象物に対する作業員の立ち位置が変わる等の状況変化があったとしても、保護対象物をベース部の嵌合部内から離脱させることなく作業を続けることができる。
【００３８】
また、絶縁棒に対するベース部の角度、方向を任意に変化させてから固定できるように構成することにより、作業環境の変化に対応することが可能となる。
なお、絶縁棒のみによって除去装置本体を引き下げるのではなく、除去装置本体の適所にワイヤーを固定しておき、このワイヤーを引っ張って除去装置を引き下げるようにしてもよい。
【符号の説明】
【００３９】
１…除去装置、２…除去装置本体、３…ベース部、４…開放部、４ａ…内壁面、５…ガイド面、１０…嵌合部、２０…取付け部、２５…自在継ぎ手、２６…筒状体、３０…スリーブ部、３１…内壁、３２…下端周縁、３２ａ…先端、３３…外周面、３４…パッド、３５…開口部、４０…ガイド部材、４２…押し下げ部材、５０…絶縁棒、１００…保護対象物（電柱支線）、１００…保護対象物、１１０…蔓性植物
【図１】
2016019296.tif 000003
【図２】
2016019296.tif 000004
【図３】
2016019296.tif 000005
【図４】
2016019296.tif 000006